(57)【特許請求の範囲】
【請求項１】
第１の接続端子を収容するハウジング本体とこのハウジング本体の後端面に着脱可能に嵌合装着されて前記後端面を覆うカバーとを備える第１ハウジングと、前記第１の接続端子に接続する第２の接続端子を収容して前記ハウジング本体の前面に嵌合接続される第２ハウジングと、これらの第１ハウジング又は第２ハウジングの何れか一方のハウジングに回動可能に取り付けられるレバーと、を備え、
前記レバーは、
前記一方のハウジングの両側面に回動可能に連結されて、第１ハウジングと第２ハウジングとを嵌合開始位置に突き合わせた状態で回動操作することによりこれらのハウジング相互を嵌合完了位置に移動させる一対のレバー本体と、
前記カバーの外側を跨いで前記一対のレバー本体相互を連結して前記レバー本体を回動操作する際の操作部となるレバー操作部と、を備えるレバー式コネクタであって、
前記レバーが取り付けられる前記一方のハウジングが、前記第１ハウジングのハウジング本体であり、
前記ハウジング本体に対して前記カバーが正規の取り付け位置から浮き上がっている不正な取り付け状態において、前記レバーを前記一方のハウジングに取り付けようとすると、前記レバー操作部が、前記カバーの後端側に形成されて前記カバーの幅を嵌合方向と逆方向に行くに従って狭くする傾斜部位からなる外表面と干渉して、前記レバーの前記一方のハウジングへの取り付けができないことを特徴とするレバー式コネクタ。
【請求項２】
第１の接続端子を収容するハウジング本体とこのハウジング本体の後端面に着脱可能に嵌合装着されて前記後端面を覆うカバーとを備える第１ハウジングと、前記第１の接続端子に接続する第２の接続端子を収容して前記ハウジング本体の前面に嵌合接続される第２ハウジングと、これらの第１ハウジング又は第２ハウジングの何れか一方のハウジングに回動可能に取り付けられるレバーと、を備え、
前記レバーは、
前記一方のハウジングの両側面に回動可能に連結されて、第１ハウジングと第２ハウジングとを嵌合開始位置に突き合わせた状態で回動操作することによりこれらのハウジング相互を嵌合完了位置に移動させる一対のレバー本体と、
前記カバーの外側を跨いで前記一対のレバー本体相互を連結して前記レバー本体を回動操作する際の操作部となるレバー操作部と、を備えるレバー式コネクタであって、
前記ハウジング本体に対して前記カバーが正規の取り付け位置から浮き上がっている不正な取り付け状態において、前記レバーを前記一方のハウジングに取り付けようとすると、前記レバー操作部が前記カバーの外表面と干渉して、前記レバーの前記一方のハウジングへの取り付けができないレバー式コネクタにおいて、
前記レバーが取り付けられる前記一方のハウジングが、前記第１ハウジングのハウジング本体であり、
前記レバーを前記ハウジング本体に取り付けた状態では、前記レバー操作部が前記ハウジング本体に対して前記カバーを装着する際のカバーの移動経路を横断していて、前記カバーを前記ハウジング本体に取り付けることができないことを特徴とするレバー式コネクタ。
【発明の詳細な説明】
【技術分野】
【０００１】
本発明は、レバー式コネクタに関する。
【背景技術】
【０００２】
図９は、従来のレバー式コネクタを示したものである。
このレバー式コネクタ１００は、下記特許文献１に開示されたものである。
このレバー式コネクタ１００は、第１ハウジング１１０と、この第１ハウジング１１０と嵌合接続される第２ハウジング１２０と、第１ハウジング１１０と第２ハウジング１２０の嵌合接続に利用されるレバー１３０と、を備える。
【０００３】
第１ハウジング１１０は、第１の接続端子を収容するハウジング本体１１１と、このハウジング本体１１１の後端面（図９では上端面）１１１ａに着脱可能に嵌合装着されて前記後端面１１１ａを覆うカバー１１２と、を備える。
【０００４】
第２ハウジング１２０は、第１ハウジング１１０内の第１接続端子に接続する第２の接続端子を収容するハウジング本体１２１の前端（図９では、上端）側に、ハウジング本体１１１の前端（図９では、下端）側を収容するフード部１２２を一体形成されている。この第２ハウジング１２０は、ハウジング本体１１１の前面に嵌合接続される。
【０００５】
レバー１３０は、第２ハウジング１２０に回動可能に取り付けられる。このレバー１３０は、第２ハウジング１２０の両側面の支持ピン１２４に回動可能に連結される一対のレバー本体１３１と、これらの一対のレバー本体１３１の端部間を連結するレバー操作部１３２とを備える。
【０００６】
それぞれのレバー本体１３１は、内面に、カム溝１３５を有している。このカム溝１３５は、第１ハウジング１１０と第２ハウジング１２０とを嵌合開始位置に突き合わせた状態（図９に示した状態）で、ハウジング本体１１１の側面に突設されているカムピン１１５と係合する溝である。このカム溝１３５は、レバー１３０を回動操作することにより、カムピン１１５を第２ハウジング１２０の内奥側に誘導する溝である。
【０００７】
即ち、レバー本体１３１は、第１ハウジング１１０と第２ハウジング１２０とを嵌合開始位置に突き合わせた状態で図９の矢印Ｒ１方向に回動操作することにより、カムピン１１５を第２ハウジング１２０の内奥側に引き込んで、これらのハウジング相互を嵌合完了位置に移動させる。
【０００８】
レバー操作部１３２は、カバー１１２の外側を横断して（跨いで）これらの一対のレバー本体１３１相互を連結しており、レバー本体１３１を回動操作する際の操作部となる。
【０００９】
特許文献１のレバー式コネクタ１００の場合、それぞれのレバー１３０の内面側に、不正取り付け検知用の検知溝１３７を設ける一方、カバー１１２の両側面には、検知溝１３７内を移動可能な検知用突起１１７を設けている。
【００１０】
検知溝１３７は、カバー１１２がハウジング本体１１１に対して正規の取り付け状態にあって、レバー１３０の回動操作により第１ハウジング１１０が第２ハウジング１２０に適正に嵌合接続される場合に、図１０の矢印Ｒ２で示す方向へのレバー１３０の回動に伴い、検知用突起１１７が検知溝１３７内を移動して、カムピン１１５によりレバー１３０の回動が阻害されることのないように、溝形状（延在方向）が設定されている。
【００１１】
ハウジング本体１１１に対してカバー１１２が正規の取り付け位置から浮き上がっている不正な取り付け状態にある場合には、レバー１３０を回動操作したときに、検知用突起１１７が検知溝１３７内に進入できず、検知用突起１１７がレバー本体１３１の縁に干渉して、レバー１３０の回動操作が阻害されることで、カバー１１２が不正の取り付け状態であることが検知される。
【００１２】
この特許文献１のレバー式コネクタ１００では、ハウジング本体１１１に対するカバー１１２の不正な取り付け状態を、レバー１３０の回動操作により確実に検知して、カバーの不正な取り付け状態の見落としを防止することができる。
【先行技術文献】
【特許文献】
【００１３】
【特許文献１】特開２００９−０９３９３０号公報
【発明の概要】
【発明が解決しようとする課題】
【００１４】
ところが、特許文献１のレバー式コネクタ１００では、検知溝１３７及び検知用突起１１７の装備のために、レバーやカバーの構造が複雑化し、生産性（歩留まり）の低下や、生産コストの増加を招くおそれがあった。
【００１５】
そこで、本発明の目的は、上記課題を解消することに係り、ハウジング本体に対するカバーの不正な取り付け状態をレバーの取り付け作業で確実に検知して、カバーの不正な取り付け状態の見落としを防止することができ、しかもレバーやカバーの構造の単純化により、生産性の向上や生産コストの低減を図ることのできるレバー式コネクタを提供することにある。
【課題を解決するための手段】
【００１６】
本発明の前述した目的は、下記の構成により達成される。
（１）第１の接続端子を収容するハウジング本体とこのハウジング本体の後端面に着脱可能に嵌合装着されて前記後端面を覆うカバーとを備える第１ハウジングと、前記第１の接続端子に接続する第２の接続端子を収容して前記ハウジング本体の前面に嵌合接続される第２ハウジングと、これらの第１ハウジング又は第２ハウジングの何れか一方のハウジングに回動可能に取り付けられるレバーと、を備え、
前記レバーは、
前記一方のハウジングの両側面に回動可能に連結されて、第１ハウジングと第２ハウジングとを嵌合開始位置に突き合わせた状態で回動操作することによりこれらのハウジング相互を嵌合完了位置に移動させる一対のレバー本体と、
前記カバーの外側を跨いで前記一対のレバー本体相互を連結して前記レバー本体を回動操作する際の操作部となるレバー操作部と、を備えるレバー式コネクタであって、
前記レバーが取り付けられる前記一方のハウジングが、前記第１ハウジングのハウジング本体であり、
前記ハウジング本体に対して前記カバーが正規の取り付け位置から浮き上がっている不正な取り付け状態において、前記レバーを前記一方のハウジングに取り付けようとすると、前記レバー操作部が、前記カバーの後端側に形成されて前記カバーの幅を嵌合方向と逆方向に行くに従って狭くする傾斜部位からなる外表面と干渉して、前記レバーの前記一方のハウジングへの取り付けができないことを特徴とするレバー式コネクタ。
【００１８】
（２）第１の接続端子を収容するハウジング本体とこのハウジング本体の後端面に着脱可能に嵌合装着されて前記後端面を覆うカバーとを備える第１ハウジングと、前記第１の接続端子に接続する第２の接続端子を収容して前記ハウジング本体の前面に嵌合接続される第２ハウジングと、これらの第１ハウジング又は第２ハウジングの何れか一方のハウジングに回動可能に取り付けられるレバーと、を備え、
前記レバーは、
前記一方のハウジングの両側面に回動可能に連結されて、第１ハウジングと第２ハウジングとを嵌合開始位置に突き合わせた状態で回動操作することによりこれらのハウジング相互を嵌合完了位置に移動させる一対のレバー本体と、
前記カバーの外側を跨いで前記一対のレバー本体相互を連結して前記レバー本体を回動操作する際の操作部となるレバー操作部と、を備えるレバー式コネクタであって、
前記ハウジング本体に対して前記カバーが正規の取り付け位置から浮き上がっている不正な取り付け状態において、前記レバーを前記一方のハウジングに取り付けようとすると、前記レバー操作部が前記カバーの外表面と干渉して、前記レバーの前記一方のハウジングへの取り付けができないレバー式コネクタにおいて、
前記レバーが取り付けられる前記一方のハウジングが、前記第１ハウジングのハウジング本体であり、
前記レバーを前記ハウジング本体に取り付けた状態では、前記レバー操作部が前記ハウジング本体に対して前記カバーを装着する際のカバーの移動経路を横断していて、前記カバーを前記ハウジング本体に取り付けることができないことを特徴とするレバー式コネクタ。
【００１９】
上記（１）の構成によれば、ハウジング本体に対してカバーが正規の取り付け位置から浮き上がっている不正な取り付け状態において、レバーを対応するハウジングに取り付けようとすると、レバー操作部が不正な取り付け状態のカバーの外表面と干渉して、レバーのハウジングへの取り付けができない。
【００２０】
従って、ハウジング本体に対するカバーの不正な取り付け状態をレバーの取り付け作業で確実に検知して、カバーの不正な取り付け状態の見落としを防止することができる。
【００２１】
しかも、カバーの不正な取り付け状態の検知は、レバー操作部とカバーの外表面との間に干渉が発生するか否かで行っており、レバーやカバーに専用の検知溝及び検知用突起を設ける必要はない。
【００２２】
そのため、レバーやカバーの構造を単純化することができ、レバーやカバーの構造の単純化により、生産性の向上や生産コストの低減を図ることもできる。
【００２３】
また、上記（１）の構成によれば、レバーが回動可能に取り付けられるハウジングが、カバーが取り付けられる第１ハウジングのハウジング本体であるため、レバーが第２ハウジングに回動可能に取り付けられる場合と比較すると、レバー本体の小型化が図れ、レバー本体の小型化によりレバー式コネクタの小型化や軽量化を図ることができる。
【００２４】
上記（２）の構成によれば、ハウジング本体へのカバー及びレバーの取り付け順序を、カバー、レバーの順に規制することができ、レバーの取り付け操作によって、カバーの取り付け状態の適否を確実に確認することができる。
【発明の効果】
【００２５】
本発明によるレバー式コネクタによれば、ハウジング本体に対してカバーが正規の取り付け位置から浮き上がっている不正な取り付け状態において、レバーを対応するハウジングに取り付けようとすると、レバー操作部が不正な取り付け状態のカバーの外表面と干渉して、レバーのハウジングへの取り付けができない。
【００２６】
従って、ハウジング本体に対するカバーの不正な取り付け状態をレバーの取り付け作業で確実に検知して、カバーの不正な取り付け状態の見落としを防止することができる。
【００２７】
しかも、カバーの不正な取り付け状態の検知は、レバー操作部とカバーの外表面との間に干渉が発生するか否かで行っており、レバーやカバーに専用の検知溝及び検知用突起を設ける必要はない。
【００２８】
そのため、レバーやカバーの構造を単純化することができ、レバーやカバーの構造の単純化により、生産性の向上や生産コストの低減を図ることもできる。
【図面の簡単な説明】
【００２９】
【図１】本発明に係るレバー式コネクタの一実施形態の第１ハウジングの組立状態の側面図である。
【図２】図１に示したハウジング本体をその後面側から視た斜視図である。
【図３】図２のハウジング本体にカバーが取り付けられた状態の斜視図である。
【図４】図３のハウジング本体に更にレバーが取り付けられた状態の斜視図である。
【図５】（ａ）は図２に示したハウジング本体にカバーを取り付ける際のカバーの移動方向を示す側面図、（ｂ）はカバーの取り付けが完了した状態の側面図である。
【図６】（ａ）は図３に示したハウジング本体に対するレバーの取り付け方向を示す側面図、（ｂ）はレバーの取り付けが完了した状態の側面図である。
【図７】図１のＡ部の拡大図である。
【図８】ハウジング本体にレバーを取り付けた後でカバーの取り付けを行った場合の不具合の説明図である。
【図９】従来のレバー式コネクタのレバーを回動操作する前の状態の側面図である。
【図１０】図９に示したレバー式コネクタにおいえ、レバーの回動操作によりハウジング相互の嵌合が進んだ状態の側面図である。
【発明を実施するための形態】
【００３０】
以下、本発明に係るレバー式コネクタの好適な実施形態について、図面を参照して詳細に説明する。
【００３１】
図１〜図７は本発明に係るレバー式コネクタの一実施形態を示したもので、図１は本発明の一実施形態のレバー式コネクタにおける第１ハウジングの組立状態の側面図、図２は図１に示したハウジング本体をその後面側から視た斜視図、図３は図２のハウジング本体にカバーが取り付けられた状態の斜視図、図４は図３のハウジング本体に更にレバーが取り付けられた状態の斜視図、図５（ａ）は図２に示したハウジング本体にカバーを取り付ける際のカバーの移動方向を示す側面図、図５（ｂ）はカバーの取り付けが完了した状態の側面図、図６（ａ）は図３に示したハウジング本体に対するレバーの取り付け方向を示す側面図、図６（ｂ）はレバーの取り付けが完了した状態の側面図、図７は図１のＡ部の拡大図、図８はハウジング本体にレバーを取り付けた後でカバーの取り付けを行った場合の不具合の説明図である。
【００３２】
本発明の一実施形態のレバー式コネクタは、図１に示す第１ハウジング１０と、この第１ハウジング１０に回動可能に取り付けられるレバー２０と、第１ハウジング１０の前面に嵌合接続される不図示の第２ハウジングと、を備える。
【００３３】
第１ハウジング１０は、不図示の第１の接続端子を収容するハウジング本体１１と、このハウジング本体１１の後端面１１ａに着脱可能に嵌合装着されて後端面１１ａを覆うカバー１２と、を備える。
【００３４】
ハウジング本体１１は、図２に示すように、後端面１１ａに第１接続端子を収容する各種の端子収容孔１１ｂが開口している。カバー１２は、ハウジング本体１１の後端面１１ａに導出する電線を収容する。
【００３５】
カバー１２は、図５（ａ）に示すように、ハウジング本体１１の後端面１１ａの一端側（図５（ａ）では左端側）で、カバー１２の前端面１２ａの一端（図５（ａ）では右端）を後端面１１ａの一端に突き合わせ、次いで、その状態で図５（ａ）の矢印Ｘ方向に、カバー１２をハウジング本体１１に対してスライド操作させることで、図５（ｂ）に示すように、ハウジング本体１１の後端面１１ａにカバー１２が連結された取り付け完了状態にすることができる。
【００３６】
カバー１２の前端面１２ａには、図５に示すように、ハウジング本体１１に対してカバー１２をスライド操作した際に、ハウジング本体１１の後端面１１ａに装備されているスライドガイド部内を摺動する不図示のスライダ部と、カバー１２が後端面１１ａに対して正規の取り付け完了位置に到達したときにハウジング本体１１側の係止手段に係止される係止部と、を有している。
【００３７】
カバー１２の後端面の他端側（図５（ａ）では、左側）の傾斜部位１２ｃは、後述のレバー２０が跨ぐ部位である。この傾斜部位１２ｃは、カバー１２が正規にハウジング本体１１に取り付けられた状態では、ハウジング本体１１に取り付けられたレバー２０の回動を妨げないような傾斜が設定されている。
【００３８】
不図示の第２ハウジングは、前記第１接続端子に接続する第２の接続端子を収容して、ハウジング本体１１の前面に嵌合接続される。
【００３９】
レバー２０は、ハウジング本体１１の両側面に回動可能に連結される一対のレバー本体２１と、これらの一対のレバー本体２１の端部間を連結するレバー操作部２２と、を備える。
【００４０】
レバー本体２１は、ハウジング本体１１の両側面に突設されたレバー支持軸１１ｄに回動自在に嵌合するハウジング連結孔２１ｄ（図６（ａ）参照）と、不図示の第２ハウジングを第１ハウジング側に引き込んでハウジング相互を嵌合接続させるためのカム溝２１ｅ（図１参照）とを備える。
【００４１】
レバー本体２１は、ハウジング連結孔２１ｄをレバー支持軸１１ｄに嵌合させることで、レバー支持軸１１ｄ回りに回動可能にハウジング本体１１に結合される。
【００４２】
カム溝２１ｅは、不図示の第２ハウジングの両側面に突設されたカム軸が、溝の延在方向に沿って摺動可能な溝である。カム溝２１ｅは、その一端に、レバー本体２１の外周に開放する溝始端２１ｅ１を備えている。
【００４３】
溝始端２１ｅ１は、第１ハウジング１０と不図示の第２ハウジングとを嵌合開始位置に突き合わせた状態とした時に、前記第２ハウジング上のカム軸が進入する開口部である。
【００４４】
レバー本体２１は、ハウジング本体１１に取り付けられた際、溝始端２１ｅ１が第２ハウジング側に向いた状態で仮係止される。この仮係止状態では、第１ハウジング１０と不図示の第２ハウジングとを嵌合開始位置に突き合わせたときに、前記第２ハウジング上のカム軸が前記溝始端２１ｅ１に進入可能なように、レバー本体２１の向きが位置決めされる。
【００４５】
レバー本体２１は、図１に示す状態の第１ハウジング１０と不図示の第２ハウジングとを嵌合開始位置に突き合わせた状態で回動操作することにより、これらのハウジング相互を嵌合完了位置に移動させる。
【００４６】
レバー操作部２２は、図１に示すように、ハウジング本体１１に取り付けられたカバー１２の外側を横断して（跨いで）、一対のレバー本体２１相互を連結している。このレバー操作部２２は、レバー本体２１を回動操作する際の操作部となる。
【００４７】
本実施形態のレバー式コネクタにおける第１ハウジング１０は、まず、図２及び図３に示すように、ハウジング本体１１にカバー１２を取り付ける。ハウジング本体１１に対するカバー１２の取り付けは、図５に矢印Ｘで示すように、スライド操作により行う。次いで、図４に示すように、ハウジング本体１１にレバー２０を取り付ける。ハウジング本体１１に対するレバー２０の取り付けは、図６に矢印Ｙで示すように、カバー１２の傾斜部位１２ｃの外側から、カバー１２の上にレバー２０を被せるようにして、行う。
【００４８】
図１は、ハウジング本体１１に対してカバー１２が正規の取り付け位置に取り付けられている状態で、更に、ハウジング本体１１にレバー２０の取り付けが成された状態を示している。この場合、レバー２０は正常にハウジング本体１１に取り付けることができ、カバー１２の傾斜部位１２ｃとレバー２０のレバー操作部２２との間には、図７に示すように、レバー２０の回動を可能にする隙間Ｓが確保される。
【００４９】
言い換えれば、カバー１２及びレバー２０が正常にハウジング本体１１に取り付けられた場合には、レバー操作部２２とカバー１２の傾斜部位１２ｃとの間にレバー２０の回動を許容する隙間Ｓが残るように、レバー２０の各部の寸法が設定されている。
【００５０】
一方、本実施形態では、レバー２０の各部の寸法は、次のようにも設定されている。
ハウジング本体１１に対してカバー１２が正規の取り付け位置から浮き上がっている不正な取り付け状態において、レバー２０をハウジング本体１１に取り付けようとすると、レバー操作部２２がカバー１２の外表面である傾斜部位１２ｃと干渉して、レバー２０をハウジング本体１１に取り付けることができないように、レバー２０の各部の寸法が設定されている。
【００５１】
これは、正常取り付け時にレバー操作部２２と傾斜部位１２ｃとの間に確保される隙間Ｓが、不正取り付け状態のためにカバー１２がハウジング本体１１から浮き上がる浮き上がり寸法よりも小さく設定されていることを意味している。
【００５２】
更に、本実施形態のレバー式コネクタでは、カバー１２をハウジング本体１１に取り付ける前にレバー２０を正常にハウジング本体１１に取り付けた状態では、図８に示すように、レバー操作部２２が、ハウジング本体１１に対してカバー１２を装着する際のカバー１２の移動経路（図８に矢印Ｘ２に沿ってカバー１２が平行移動する経路）を横断していて、レバー操作部２２がカバー１２の取り付けの邪魔になり、カバー１２をハウジング本体１１に取り付けることができない。
【００５３】
以上に説明した一実施形態のレバー式コネクタでは、図示はしていないが、ハウジング本体１１に対してカバー１２が正規の取り付け位置から浮き上がっている不正な取り付け状態において、レバー２０を対応するハウジングに取り付けようとすると、レバー操作部２２が不正な取り付け状態のカバー１２の外表面と干渉して、レバー２０のハウジングへの取り付けができない。
【００５４】
従って、ハウジング本体１１に対するカバー１２の不正な取り付け状態をレバー２０の取り付け作業で確実に検知して、カバー１２の不正な取り付け状態の見落としを防止することができる。
【００５５】
しかも、カバー１２の不正な取り付け状態の検知は、レバー操作部２２とカバー１２の外表面である傾斜部位１２ｃとの間に干渉が発生するか否かで行っており、レバー２０やカバー１２に専用の検知溝及び検知用突起を設ける必要はない。
【００５６】
そのため、レバー２０やカバー１２の構造を単純化することができ、レバー２０やカバー１２の構造の単純化により、生産性の向上や生産コストの低減を図ることもできる。
【００５７】
更に、以上に説明した一実施形態のレバー式コネクタでは、レバー２０が回動可能に取り付けられるハウジングが、カバー１２が取り付けられる第１ハウジング１０のハウジング本体１１であるため、レバー２０が不図示の第２ハウジングに回動可能に取り付けられる場合と比較すると、レバー本体２１の小型化が図れ、レバー本体２１の小型化によりレバー式コネクタの小型化や軽量化を図ることができる。
【００５８】
更に、以上に説明した一実施形態のレバー式コネクタでは、カバー１２よりも先にレバー２０をハウジング本体１１に取り付けてしまうと、レバー２０のレバー操作部２２がカバー１２をハウジング本体１１に取り付ける際の邪魔となって、カバー１２をハウジング本体１１に取り付けることができない。そのため、ハウジング本体１１へのカバー１２及びレバー２０の取り付け順序を、カバー１２、レバー２０の順に規制することができ、レバー２０の取り付け操作によって、カバー１２の取り付け状態の適否を確実に確認することができる。
【００５９】
なお、本発明のレバー式コネクタは、前述した各実施形態に限定されるものでなく、適宜な変形、改良等が可能である。
【００６０】
例えば、レバーが回動可能に取り付けられるハウジングは、上記実施形態に示した第１ハウジングに限定しない。レバーは、第１ハウジング１０に嵌合接続される第２ハウジングに回動可能に取り付けられる構成とすることも、考えられる。
【符号の説明】
【００６１】
１０  第１ハウジング
１１  ハウジング本体
１１ａ  後端面
１１ｄ  レバー支持軸
１２  カバー
１２ａ  前端面
１２ｃ  傾斜部位（外表面）
２０  レバー
２１  レバー本体
２１ｄ  ハウジング連結孔
２１ｅ  カム溝
２２  レバー操作部
Ｓ  隙間
【図１】
0005905668.tif 000002
【図２】
0005905668.tif 000003
【図３】
0005905668.tif 000004
【図４】
0005905668.tif 000005
【図５】
0005905668.tif 000006
【図６】
0005905668.tif 000007
【図７】
0005905668.tif 000008
【図８】
0005905668.tif 000009
【図９】
0005905668.tif 000010
【図１０】
0005905668.tif 000011